(57)【要約】  本発明は下部には重量部が形成され、上部には相対的に比重が低い浮力部が形成されて、水中で立っている状態を維持し、選択的に脱着可能な部材によって浮力及び重量が調節可能な釣錘に関するものである。  このために本発明は、下部の形状を形成して水より比重が高い素材からなる重量部と、前記重量部の上部に選択的に分離可能に結合されて、前記重量部より比重が低い素材からなる浮力部と、前記浮力部の上部に設けられて、前記浮力部を前記釣り糸に固定させる固定手段と、前記重量部と浮力部の間に選択的に結合されて、前記浮力部と同一素材からなる浮力調節部材と、前記重量部と浮力部の間に選択的に結合されて、前記重量部と同一素材からなる浮力調節部材を含んで構成される。このような構成を有する本発明によれば、釣錘が引っかかって脱落するのを防止し、使用環境にともなう浮力及び重量の変更が容易になる。
2010530213.tif 000002
【特許請求の範囲】
【請求項１】
下部の形状を形成し、水より比重が高い素材からなる重量部と、
前記重量部の上部に選択的に分離可能に結合されて、前記重量部より比重が低い素材からなる浮力部と、
前記浮力部の上部に設けられて、前記浮力部を前記釣り糸に固定させる固定手段と、
前記重量部と浮力部の間に選択的に結合されて、前記浮力部と同一素材からなる浮力調節部材と、
前記重量部と浮力部の間に選択的に結合されて、前記重量部と同一素材からなる浮力調節部材と、
を含んで構成される釣錘。
【請求項２】
前記固定手段は前記浮力部に回転自在に結合されることを特徴とする請求項１に記載の釣錘。
【請求項３】
前記固定手段は前記浮力部上部の一側を貫通して、穿孔形成されることを特徴とする請求項１に記載の釣錘。
【請求項４】
前記浮力部と重量部及び前記浮力調節部材と重量調節部材が結合される位置には相互対応する雄と雌のねじ山が形成されて、回転させることによって結合されることを特徴とする請求項１に記載の釣錘。
【請求項５】
前記浮力調節部材と前記重量調節部材は、使用者の選択によって結合される個数を調節することができるように構成されることを特徴とする請求項１に記載の釣錘。
【請求項６】
前記浮力部、重量部、浮力調節部材及び重量調節部材は、結合の時外周面が平一になるように連結されることを特徴とする請求項１に記載の釣錘。
【請求項７】
前記重量部と浮力部の内側中、少なくともいずれか１つは中空形成され、中空形成された内側には前記浮力部より大きい比重を有する重量部材が選択的に収容されることを特徴とする請求項１に記載の釣錘。
【請求項８】
前記重量部材は使用者の選択によって収容される個数が調節可能であることを特徴とする請求項７に記載の釣錘。
【請求項９】
内部が中空の筒状に形成され、上下に選択的に分離される本体と、
前記本体の内部に収容され、水より比重が大きい素材からなる重量部材と、
上下に開口するように形成され、前記本体の間に選択的に結合されて前記本体の長さを延長させる延長部材と、
前記本体の上部に設けられて、釣り糸に連結される固定手段と、
を含んで構成される釣錘。
【請求項１０】
前記本体と延長部材中、少なくともいずれか１つは水より比重が低い素材からなることを特徴とする請求項９に記載の釣錘。
【請求項１１】
前記本体の上部は水より比重が低い素材から形成され、前記延長部材は前記重量部材と同一素材からなることを特徴とする請求項９に記載の釣錘。
【請求項１２】
前記本体の上部と下部及び前記延長部材には相互対応するねじ山が形成されて、回転させることによって結合することが可能であることを特徴とする請求項９に記載の釣錘。
【請求項１３】
前記延長部材は前記本体の間で少なくとも１つ以上設けられることを特徴とする請求項９に記載の釣錘。
【請求項１４】
前記延長部材は、水より比重が低い浮力調節部材と、水より比重が高い重量調節部材から構成されて、前記浮力調節部材と重量調節部材は前記分離される本体の間に選択的に結合されることを特徴とする請求項９に記載の釣錘。
【請求項１５】
上部と下部に選択的に分離可能に結合される本体と、
前記本体の間に選択的に結合されて、水より比重が低い素材からなる上下に開口する筒状の浮力調節部材と、
前記前記浮力調節部材の内側に選択的に収容されて、水より比重が高い素材からなる重量部材と、
前記本体の上部に設けられて、前記本体を釣り糸に固定させる固定手段と、
を含んで構成される釣錘。
【請求項１６】
前記本体は、前記本体の上部を形成し、水より比重が低い素材からなる浮力部と、前記本体の下部を形成し、水より比重が高い素材からなる重量部を含んで構成される請求項１５に記載の釣錘。
【請求項１７】
前記浮力部と重量部、浮力調節部材はねじ方式によって回転結合されて、結合時それぞれの外周面が相互連結されるように形成されることを特徴とする請求項１６に記載の釣錘。
【請求項１８】
前記浮力調節部材は複数個装着することができ、其々は相互連通するように形成されることを特徴とする請求項１５に記載の釣錘。
【請求項１９】
前記重量部材は多様な重量を持ち、使用者の選択的な組合わせによって前記浮力調節部材内側の空間に収容されることを特徴とする請求項１５に記載の釣錘。
【請求項２０】
浮力を有する素材から形成され、その断面が円形または楕円形に形成される浮力部と、
前記浮力部の上端に設けられて、前記浮力部が釣り糸に固定されるようにする固定手段と、
前記浮力部の下部に選択的に装着されて、前記浮力部より大きい比重を有する素材からなる棒形状に形成される重量部と、
を含んで構成される釣錘。
【請求項２１】
前記重量部は下方に行くほど外側を向くように配置されることを特徴とする請求項２０に記載の釣錘。
【請求項２２】
前記重量部は長さ方向に複数個が連続して連結可能に構成されることを特徴とする請求項２０に記載の釣錘。
【請求項２３】
前記重量部は放射状に配置されることを特徴とする請求項２０に記載の釣錘。
【請求項２４】
前記重量部は使用者の選択によって複数個が配置されることを特徴とする請求項２０に記載の釣錘。
【発明の詳細な説明】
【技術分野】
【０００１】
本発明は釣錘に関するものである。
【背景技術】
【０００２】
一般的に、釣りをするためには釣りをする場所と対象魚種等を考慮して釣針と浮きを選定し、前記浮きの浮力に合わせて釣針が適切な位置に位置できるようにする釣錘を釣り糸に連結して、釣りの準備をすることになる。
【０００３】
前記釣錘は、一般的に釣り糸と一体に動くように前記釣り糸によって上下方向に貫通して連結され、リール釣りの場合は釣針と釣錘が一体になって釣り糸に連結されることもある。
【０００４】
しかし、このような一般的な釣錘は水底または岩、砂利等に当ると、殆どは長さ方向に横になり、このような状態で釣り糸を引けば、岩の間や砂利等に釣錘が簡単に引っかかる問題点がある。
【０００５】
よって、釣り糸を無理に引くと、釣錘が脱落することになり、釣りの途中このような問題点は頻繁に発生して、釣りの初心者たちにはその頻度がより多くなる。
【０００６】
さらに、釣錘は水中でより効果的に沈むように、一般的に比重が高い鉛で形成されるが、このように頻繁に釣錘が脱落してしまう場合、水中に鉛がそのまま放置されて、深刻な環境汚染を招くなどの問題点がある。
【発明の開示】
【発明が解決しようとする課題】
【０００７】
本発明の目的は、前記したような従来技術の問題点を解決するためのもので、下部には重量部が形成され、上部には相対的に比重が低い浮力部が形成されて、水中で立っている状態を維持し、選択的に脱着可能な部材によって浮力及び重量が調節可能な釣錘を提供することにある。
【課題を解決するための手段】
【０００８】
前記のような目的を達成するための本発明による釣錘には、下部の形状を形成して水より比重が高い素材からなる重量部と、前記重量部の上部に選択的に分離可能に結合されて、前記重量部より比重が低い素材からなる浮力部と、前記浮力部の上部に設けられて、前記浮力部を前記釣り糸に固定させる固定手段と、前記重量部と浮力部の間に選択的に結合されて、前記浮力部と同一素材からなる浮力調節部材と、前記重量部と浮力部の間に選択的に結合されて、前記重量部と同一素材からなる浮力調節部材と、を含んで構成される。
【０００９】
また、本発明による釣錘には、内部が中空筒形状に形成されて、上下選択的に分離できる本体と、前記本体の内部に収容され、水より比重が大きい素材からなる重量部材と、上下開口できるように形成され、前記本体の間に選択的に結合されて前記本体の長さを延長させる延長部材と、前記本体の上部に設けられて、釣り糸に連結される固定手段と、を含んで構成される。
【００１０】
また、本発明による釣錘には、上部と下部を選択的に分離可能なに結合される本体と、前記本体の間に選択的に結合されて、水より比重が低い素材からなり、上下開口できる筒形状の浮力調節部材と、前記前記浮力調節部材の内側に選択的に収容されて、水より比重が高い素材からなる重量部材と、前記本体の上部に設けられて、前記本体を釣り糸に固定させる固定手段と、を含んで構成される。
【００１１】
さらに、本発明による釣錘には、浮力を有する素材からなり、その断面が円形または楕円形に形成される浮力部と、前記浮力部の上端に設けられて、前記浮力部が釣り糸に固定されるようにする固定手段と、前記浮力部の下部に選択的に装着されて、前記浮力部より大きい比重を有する素材からなり、棒形状に形成される重量部を含んで構成される。
【発明の効果】
【００１２】
前記したように、本発明によれば、固定手段によって前記釣錘の上端が前記釣り糸に固定され、前記釣錘の下部が上部より比重が高く構成されるで、水中で前記釣錘必然的に直立状態を維持しなければならなくなる。
【００１３】
よって、前記釣り糸を引いても、前記釣錘は直立またはそれに近い状態で上方移動することになるので、岩の間や砂利の隙間に前記釣錘が引っかかるのを防止できる。
【００１４】
また、これによって前記釣錘が引っかかって脱落するのを防止することができ、使用者の不便及び釣錘の交替による費用の増加を解消できる効果を期待することができる。
【００１５】
また、前記釣錘の脱落を防止することによって、鉛素材の釣錘が海を汚染させることを防止できる効果を期待することができる。
【００１６】
また、前記釣錘に浮力調節部材と重量調節部材または重量部材を付加することができるように構成されることによって、前記釣錘の浮力と重さを手軽に調節することができ、使用上の便宜性が向上されることはもちろん、一度装着された釣錘を浮力と重さを変更しながら持続的に使用が可能になり、費用及び環境汚染を低下させる効果を期待することができる。
【図面の簡単な説明】
【００１７】
【図１】本発明による釣錘の使用状態を示した状態図である。
【図２】本発明による釣錘の第１実施例の構成を示した分解図である。
【図３】本発明による釣錘の固定手段の他の形態を示した斜視図である。
【図４】本発明による釣錘の第２実施例の構造を示した分解図である。
【図５】本発明による釣錘の第３実施例の構成を示した分解図である。
【図６】本発明による釣錘の第４実施例の構成を示した分解図である。
【図７】本発明による釣錘の第５実施例の構成を示した分解図である。
【発明を実施するための形態】
【００１８】
以下、本発明の具体的な実施例を図面を参照しながら詳しく説明する。ただし、本発明はこれらの実施例に制限されるものではなく、また他の構成要素の追加、変更、削除等によって、退歩的な他の発明や本発明の思想範囲内に含まれる他の実施例を容易に提案することができる。
【００１９】
図１は本発明による釣錘の使用状態を示した状態図であり、図面に図示されているように、釣り糸１０の端部には釣針２０が連結され、前記釣針２０から離れた前記釣り糸１０の一側には浮き３０が連結される。
【００２０】
一般的に釣り糸１０は諸撚り糸やナイロン、モノフィラメントをワイアー状に形成されたもので、周知の道糸とハリスから構成される。前記釣針２０は対象魚種によって多様な大きさと形状及び色を持つように形成され、前記釣り糸１０の端部に結ばれることで連結される。また、前記浮き３０は一定の浮力を維持しながら釣錘１と餌を水底に沈めて、釣り糸１０を通じて伝わる魚の当たりを伝達するものである。
【００２１】
一方、前記釣針２０と浮き３０の間に該当する前記釣り糸１０の一側には釣錘１が連結される。前記釣錘１は、釣針２０が望む位置に沈むようにするもので、比較的重い素材からなる。
【００２２】
この時、前記釣錘１は釣り場と対象魚種によって適合な重さを選択することが望ましく、前記浮き３０の浮力と均衡を保てる重さを持つように形成される。
【００２３】
図２と図３を参照に、本発明の釣錘についてより詳しく説明する。図２は本発明による釣錘の第１実施例の構成を示した分解図で、図３は本発明による釣錘の固定手段の他の形態を示した斜視図である。図面に図示されているように、前記釣錘１の本体１００は全体的に上下の長さが長い丸い棒状に形成されて、流体の抵抗を少なく受けるように円筒または全体的に外周面がラウンドされた形状に形成される。前記本体１００は大きく上部と下部に二等分されて、其々重量部１１０と浮力部１２０から構成される。
【００２４】
前記重量部１１０は前記本体１００の下部の外形を形成するもので、前記釣錘１が沈むように水より比重が大きい素材、即ち鉛のような金属素材や石から形成されることが好ましい。また、前記重量部１１０の上端には前記重量部１１０が後述の浮力部１２０と結合できるようにする結合具１１２が形成される。
【００２５】
前記結合具１１２は、前記重量部１１０の上面が内側へと陥没されて形成され、前記結合具１１２の内周面にはねじ山が形成されて、後述される締結端１２２と螺合できるようになる。
【００２６】
一方、前記浮力部１２０は前記本体１００の上部の外形を形成するもので、前記重量部１１０と結合されて前記本体１００の全体的な外形を形成することになる。前記浮力部１２０は前記釣錘１が直立状態を維持できるように、前記重量部１１０の上部で前記重量部１１０より比重が低い素材からなる。
【００２７】
例えば、前記浮力部１２０は発泡スチロールやスポンジまたは木等のように前記重量部１１０より比重が低い素材から形成されて、前記重量部１１０が常に下方を向くようにすると共に、前記浮力部１２０は浮力によって常に上方を向くように構成される。
【００２８】
前記浮力部１２０の下端には前記結合具１１２と螺合される締結端１２２が形成される。前記締結端１２２は前記浮力部１２０の下面から下方に突出して形成され、前記結合具１１２の内側に挿入できるように対応する形状に形成される。
【００２９】
また、前記締結端１２２の外周には結合具１１２の内周に形成されたねじ山の形状と対応するねじ山が形成されて、前記浮力部１２０を回転させることによって前記締結端１２２が前記結合具１１２に結合される。
【００３０】
前記締結端１２２が前記結合具１１２と完全に結合された状態では、前記本体１００は全体的にラウンドされた形状を有することになり、前記重量部１１０と浮力部１２０は必要に応じて分離できるように構成される。
【００３１】
即ち、前記釣錘１の浮力または重量を調節するためには前記重量部１１０と浮力部１２０の間に浮力調節部材１３０または重量調節部材１４０が付加される。
【００３２】
具体的に、前記浮力調節部材１３０は前記釣錘１の浮力を付加させるためのもので、前記浮力部１２０と同一素材から形成されて、前記浮力部１２０の下側と結合されるように形成される。
【００３３】
よって、前記浮力調節部材１３０の上面には前記結合具１１２の形状と同一形状の調節部材結合具１３２が形成されて、前記浮力調節部材１３０の下面には前記締結端１２２の形状と対応する調節部材締結端１３４が形成される。
【００３４】
また、前記釣錘１に浮力調節部材１３０が結合される場合には、前記浮力部１２０の締結端１２２と前記浮力調節部材１３０の調節部材結合具１３２が相互螺合され、前記浮力調節部材１３０の調節部材締結端１３４と前記重量部１１０の結合具１１２が相互螺合される。
【００３５】
この時、前記浮力調節部材１３０の形状は前記本体１００の中央の部分をなすことができるように、円筒形状に形成されることが好ましい。
【００３６】
一方、前記重量調節部材１４０は前記釣錘１に重さを加えるためのもので、前記釣錘１が一層沈むことができるように調節することになる。前記重量調節部材１４０も前記重量部１１０と同一素材から形成されて、前記重量調節部材１４０の上面と下面には其々調節部材結合具１４２と調節部材締結端１４４が形成される。
【００３７】
前記重量調節部材１４０は必要に応じて釣錘１の重さのみを調節したい場合には前記浮力部１２０の下側に結合され、前記釣錘１の浮力と重さを共に調節したい場合には前記浮力調節部材１３０の下側に結合される。
【００３８】
前記重量調節部材１４０も前記浮力調節部材１３０と同一円筒形状に形成されることで、前記浮力部１２０及び重量部１１０との結合はもちろん、前記浮力調節部材１３０との結合時にも全体的な形状の統一性を持つことになる。
【００３９】
また、前記浮力調節部材１３０と重量調節部材１４０は必要に応じて複数個結合させることもでき、前記浮力と重さの微調整を可能にするためにその高さを多様に形成することもできる。
【００４０】
一方、前記浮力部１２０の上端には固定手段１５０が装着される。前記固定手段１５０は前記本体１００を前記釣り糸１０に連結させるもので、リング形状に形成されて前記浮力部１２０の上端から回転自在に装着される。
【００４１】
このために前記固定手段１５０は、前記釣り糸１０が通されるリング形状の連結リング１５２と、前記連結リング１５２を通して下方に延長されて前記浮力部１２０の上端に螺合される装着ピン１５４から構成される。
【００４２】
よって、前記連結リング１５２は前記装着ピン１５４を中心として回転自在であり、前記釣り糸１０が前記連結リング１５２を通って連結されれば、前記本体１００、即ち前記浮力部１２０と重量部１１０が回転自在に前記釣り糸１０に連結されて、前記釣り糸１０が前記釣錘１に絡まることがなくなる。
【００４３】
この時、図１に図示されているように、前記固定手段１５０が連結される釣り糸１０の両側にはさらに固定具４０が備り、前記釣錘１が釣り糸１０に沿って上下に流動するのを防止する。前記固定具４０は一般的に使われる玉または結び目からなることが好ましい。
【００４４】
一方、図示されないが、前記浮力部１２０または重量部１１０に１つ以上の固定手段１５０がさらに形成されることができ、この場合は、前記釣り糸１０が前記複数の固定手段１５０全部を貫通して、前記釣り糸１０と釣錘１が絡まないように構成するのも可能である。
【００４５】
また、図３に図示されているように、前記固定手段は別途の部材から形成せず、前記釣り糸が前記本体の上部、即ち前記浮力部の上部を通れるように貫通（孔）形成されることもできる。
【００４６】
以下、前記のような構成を有する本発明の第１実施例による釣錘の作用を図１と図２を参照して説明する。
【００４７】
先ず、使用者は釣針２０と浮き３０が装着された釣り糸１０に釣錘１を連結する。この時、前記釣錘１は前記浮き３０の浮力を考慮して前記釣針２０が水中の適切な位置に位置できるものを選定する。
【００４８】
この時、前記固定手段の連結リング１５２を貫いて前記釣り糸１０を通過させることによって、前記釣錘１が前記釣針２０と浮き３０の間の釣り糸１０の一側に位置することになる。一方、前記固定手段１５０の両側に該当する前記釣り糸１０の両側には前記釣錘１が、前記釣り糸１０に沿って上下に流動しないように玉または結び目のような固定具４０によって流動が拘束される。
【００４９】
また、前記固定手段１５０は前記浮力部１２０に装着された状態で回転自在に構成されることで、前記釣錘１が前記釣り糸１０に連結された状態で自由に回転することができるようになり、これによって前記釣錘１に釣り糸１０が絡まる現象を防止することができる。
【００５０】
前記釣錘１を前記釣り糸１０に連結させた釣り装備を利用して釣りをする時、前記釣錘１が水中に一定の深さに浸り、前記浮き３０と浮力が平衡状態になれば、前記釣針２０が所望の位置に位置することになる。
【００５１】
この時、前記釣錘１は上端の固定手段１５０によって前記釣り糸１０に固定されている状態であり、比重が低い前記浮力部１２０が上部に位置し、比重が相対的に高い重量部１１０が下部に位置することになり、前記釣錘１は必然的に重量部１１０が下方を向き、直立状態を維持することになる。
【００５２】
このような状態で、前記釣錘１が水底に当っても前記釣錘１は立っている状態になり、前記釣り糸１０を引くと、直立状態または直立に近い状態を維持しながら上方に上がることになり、釣錘１が岩または砂利の隙間に引っかかるのを根本的に防止することができる。
【００５３】
更に、上下に長く外周面が曲律を有するように形成された前記釣錘１の形状的な特徴によって、前記釣錘１が岩または砂利の隙間に引っかかる確率は一段と減少することはもちろん、水の流れによって揺れることが防止される。
【００５４】
一方、前記釣錘１は使用環境及び対象魚種に応じてその浮力及び/または重さの調節が可能である。これを図２を参照して説明すると、前記釣錘１の浮力及び/または重さの調節のためには、相互螺合された前記本体１００の浮力部１２０と重量部１１０を回転させて分離する。
【００５５】
その次に、浮力の調節のための場合には、前記浮力調節部材１３０を前記浮力部１２０と重量部１１０の間に結合させる。即ち、前記浮力部１２０下面の締結端１２２と前記浮力調節部材１３０上面の調節部材結合具１３２を螺合させた後、前記浮力調節部材１３０下面の調節部材締結端１３４を前記重量部１１０上面の結合具１１２と螺合させる。
【００５６】
この時、前記浮力調節部材１３０は前記浮力部１２０と同一素材から形成されているので、全体的に前記重量部１１０に比べて、比重が低い部分の体積が増加し、前記釣錘１の浮力が増加することになる。
【００５７】
一方、重量の調節のための場合には、前記重量調節部材１４０を前記浮力部１２０と重量部１１０の間に結合させる。即ち、前記浮力部１２０下面の締結端１２２と前記重量調節部材１４０上面の調節部材結合具１４２を螺合させた後、前記重量調節部材１４０下面の調節部材締結端１４４を前記重量部１１０上面の結合具１１２と螺合させる。
【００５８】
この時、前記重量調節部材１４０は前記重量部１１０と同一素材から形成されているので、全体的に前記浮力部１２０に比べて、比重が高い部分の体積が増加し、前記釣錘１の重さが増加することになる。
【００５９】
一方、前記釣錘１の浮力と重量を共に調節するためには、前記浮力調節部材１３０と重量調節部材１４０を同一方式で相互結合させた後、前記浮力部１２０と重量部１１０の間に結合させる。
【００６０】
また、前記浮力及び/または重量の調節の際、前記浮力調節部材１３０と重量調節部材１４０は複数個が連結されて装着されることができ、この場合にも前述した方法と同一方法で相互結合されるので、これに対する詳細な説明は省略することにする。
【００６１】
一方、本発明による釣錘は、前述した第１実施例の他にも多様な変形が可能であり、以下、第２実施例を図４を参照して説明する。
【００６２】
本発明の第２実施例による釣錘は、全体的に前述した第１実施例と類似の構成を有するので、同一部分に対しては同一図面符号を付与し、その詳細な説明は省略することにする。
【００６３】
図４を参照するに、釣錘１の本体２００は全体的に上下方向に長く形成された筒形状に形成され、上部と下部に分離されて、其々重量部２１０と浮力部２２０を形成する。
【００６４】
前記重量部２１０の内側には中空になっている空間が形成される。前記空間は後述される重量部材２６０を収容るためのもので、上方に開口されるように形成される。また、前記重量部２１０の上端には前記浮力部２２０に設けられるねじ山形状の締結区２２２との結合のために、対応するねじ山形状の結合具２１２が設けられる。
【００６５】
この時、前記重量部２１０は水より比重が高い素材から形成して、自ら前記釣錘１が直立できるようにすることが好ましいが、前記浮力部２２０との一体感を持ち、結合性を優れるようにするために前記浮力部２２０と同一素材から形成することも可能である。
【００６６】
また、前記浮力部２１０の上面には回転自在に形成された固定手段２５０が装着され、前記固定手段２５０を前記釣り糸１０が通ることになる。
【００６７】
前記本体２００、即ち浮力部２２０と重量部２１０の間には前述した第１実施例と同一な浮力調節部材２３０がさらに結合される。前記浮力調節部材２３０は水より比重が低い素材、または前記浮力部２２０と同一素材から形成され、前記浮力調節部材２３０の大きさと個数は使用者の選択によって多様に採択することが可能である。また、前記浮力調節部材２３０と前記浮力部２２０及び重量部２１０との結合は前述と同じく螺合される場合、このために前記浮力調節部材２３０と重量調節部材２４０には、其々調節部材締結端２３２、２４２と調節部材結合具２３４、２４４がさらに形成される。
【００６８】
一方、前記重量部２１０の内側に形成された中空になっている空間には所定の重さを有する重量部材２６０が収容される。前記重量部材２６０は鉛のような比重が大きい素材から形成され、前記本体２００の内側の中空になっている空間に挿入することができる球状または一定の体積を有するブロック形状に形成される。
【００６９】
前記重量部材２６０は前記重量部２１０内部の空間に少なくとも１つ以上を収容することができ、使用者の選択によって個数を選択し、前記釣錘１の重量を自由に調節できる。この時、前記重量部材２６０は多様な重量を持つように多様な大きさに形成、または比重が相互違う素材から形成されることができ、これによって、同一体積の中空になっている空間から使用者の組合により多様な重量を持つ釣錘１を製作することができる。
【００７０】
よって、使用者は前記重量部材２６０の調節を通じて前記釣錘１の全体重量の調節が可能であり、前記浮き３０の浮力または対象魚種におって前記釣針２０の位置を自由に設定することができる。
【００７１】
一方、本発明による釣錘は前述した第１実施例と第２実施例の他にも多様な変形が可能であり、以下、第３実施例を図５を参照して説明する。
【００７２】
図５に図示されているように、前記本体３００は上下に長い筒形状に形成され、略中央部を基準として上部３２０と下部３１０に分離可能に形成される。前記本体３００の内部は中空に形成され、上部３２０は下方に開口され、下部３１０は上方に開口されて前記本体３００の内部に全体的に中空になっている空間を形成することになる。
【００７３】
前記本体３００の上部３２０と下部３１０は前述した第１実施例での前記浮力部（図２の１２０）と重量部（図２の１１０）と対応する素材からけいせいすることが好ましいが、必要によっては前記本体３００全体が前記前述した第１実施例の浮力部（図２の１２０）または重量部（図２の１１０）と同一素材からなるのも可能である。
【００７４】
また、前記本体３００内部の中空になっている空間には前述した第２実施例でのような重量部材３６０が収容される。前記重量部材３６０は使用者の選択によって複数個が収容されることができ、使用者の選択による組合によって、前記釣錘１が多様な重量を持つようにすることが可能である。
【００７５】
また、前記本体３００の上部と下部の間には延長部材３７０が結合される。前記延長部材３７０は上下に開口された筒形状であり、前記本体３００の上部と下部の間に結合されて前記本体３００内部の中空になっている空間と連通されることで、全体的な本体３００内部の中空になっている空間の体積を増加させることになる。よって、前記本体３００の内部に収容される重量部材３６０の量を調節可能になる。
【００７６】
例えば、前記延長部材３７０が結合されていない状態では、前記本体３００の内側に重量部材３６０を収容して前記釣錘１の全体的な重量を調節するが、空間が不足する場合、前記延長部材３７０を前記本体３００の上部と下部の間に結合させ、全体的な空間を拡張させることで、前記重量部材３６０をさらに収容する空間を確保することができる。
【００７７】
勿論、前記延長部材３７０は必要に応じて複数個を連続して結合することができ、これによって、前記本体３００の長さの延長はもちろん、前記本体３００内部の中空になっている空間も調節することが可能になる。
【００７８】
前記延長部材３００は複数個を結合する場合、前述した第１実施例の浮力部（図２の１２０）と同一素材からなる浮力調節部材３３０と、前述した第１実施例の重量部（図２の１１０）と同一重量調節部材３４０から構成されることができ、この場合、前記本体３００の長さの延長と共に浮力及び重量の調節が可能になる。もちろん、前記延長部材３００は浮力部（図２の１２０）または重量部（図２の１１０）と同一素材から形成することもできる。
【００７９】
一方、前記本体３００の上部と下部、そして少なくとも１つ以上の延長部材３７０には、前述した第２実施例と同じように其々相互結合される位置に対応する雄と雌のねじ山が形成された締結端３２２と結合具３１２、調節部材結合具３３４、３４４と調節部材締結端３３３、３４２が形成される。もちろん、前記本体の上部と下部は必要に応じて締まり嵌め方式、またはテープや接着剤のような接着手段によって結合することも可能である。
【００８０】
また、前記本体３００の間に延長部材３７０が結合されると、前記本体３００全体の形状が筒状になる。しかも、其々の外周面が相互連結されて面一になり、突出、または段差を無くして全体的な外形が一体感あるように形成される。
【００８１】
一方、前記本体３００の上端には前述した各実施例でのように固定手段３５０が備り、前記固定手段３５０は釣り糸１０が通過することができるように構成される。
【００８２】
一方、本発明による釣錘は、前述した第１実施例ないし第３実施例の他にも多様な変形が可能であり、以下、第４実施例を図６を参照して説明する。
【００８３】
図６に図示されているように、前記本体４００の上部と下部は、其々前述した第１実施例と同じように水より比重が低い浮力部４２０と前記浮力部４２０より比重が高い重量部４１０から構成され、前記浮力部４２０と重量部４１０には其々締結端４２２と結合具４１２が形成されて選択的に分離結合可能に構成される。
【００８４】
また、前記浮力部４２０と重量部４１０の間には浮力調節部材４３０と重量調節部材４４０が其々分離可能に結合される。
【００８５】
前記浮力調節部材４３０は前記浮力部４２０と同一素材から形成され、前記本体４００の形状と対応する筒形状に形成される。また、前記浮力調節部材４３０は上下方に開口するように形成され、内部に中空になっている空間を形成する。
【００８６】
前記重量調節部材４４０は前記重量部４１０と同一素材、または水より比重がさらに高い素材から形成され、前記本体４００の形状と対応する筒状に形成される。また、前記重量調節部材４４０は上下方に開口するように形成され、内部に中空になっている空間を形成する。
【００８７】
このように、前記浮力調節部材４３０と重量調節部材４４０には内部に中空になっている空間が形成され、前記本体４００との結合によって空間を提供することになる。また、複数個の前記浮力調節部材４３０及び/または重量調節部材４４０が前記本体４００に結合される場合、前記其々の中空になっている空間は相互連通して１つの空間を提供することになる。
【００８８】
よって、前記浮力調節部材４３０及び/または前記重量調節部材４４０を前記本体４００の浮力部４２０と重量部４１０の間に結合すば、前記本体４００の内部、即ち前記浮力調節部材４３０と重量調節部材４４０の内側に中空になっている空間が形成され、前述した実施例でのような重量部材４６０の収容が可能になる。
【００８９】
即ち、前記浮力調節部材４３０または前記重量調節部材４４０の装着時に形成される中空になっている空間に前記重量部材４６０を少なくとも１つ以上入れて、使用者は前記釣錘１の全体的な重さを調節することが可能になる。
【００９０】
具体的に、前記釣錘１の浮力を調節するためには前記本体４００、即ち浮力部４２０と重量部４１０の間に浮力調節部材４３０を追加的に結合して前記釣錘１の浮力を増加させることができるようになる。また、前記釣錘１の重量を調節するためには前記本体４００の間に重量調節部材４４０を追加的に結合して前記釣錘１の重量を増加、または前記浮力調節部材４３０の内側または前記重量調節部材４４０の内側に前記重量部材４６０を収容して前記釣錘１の全体重量を調節することができるようになる。
【００９１】
一方、前記本体４００と浮力調節部材４３０及び重量調節部材４４０には前述した各実施例でのように締結端４２２と結合具４１２、そして、調節部材締結端４３２、４４２と調節部材結合具４３４、４４４等が形成されて、前記本体４００と浮力調節部材４３０及び重量調節部材４４０が相互螺合されることができるようになる。
【００９２】
また、前記本体４００の上端には前記釣り糸１０が貫通し、前記釣錘１を装着することができるようにする固定手段４５０が備わる。
【００９３】
本発明による釣錘は、前述した第１実施例ないし第４実施例の他にも多様な変形が可能であり、以下、第５実施例を図７を参照して説明する。
【００９４】
図７に図示されているように、前記釣錘１は浮力部５２０と重量部５１０から構成される。
【００９５】
前記浮力部５２０は前記釣錘１の上部を形成するものであり、断面形状が円形または楕円のような略球形に形成され、水より比重が低く、水に浮ぶことができる発泡スチロールやスポンジ、木等のような素材からなる。また、前記浮力部５２０の上端には固定手段５５０が形成される。前記固定手段５５０は、前記釣錘１を前記釣り糸１０に連結できるようにするものであり、前述した各実施例のものと同一に構成され、前記釣錘１が前記釣り糸１０に連結された状態で回転自在に構成される。
【００９６】
一方、前記浮力部５２０の下部には後述される重量部５１０が結合される結合具５２２が形成される。前記結合具５２２は重量部５１０の結合のためのものであり、前記浮力部５２０の下端中央部を中心に前記浮力部５２０の下部に放射状に複数個形成される。また、前記結合具５２０の内周面にはねじ山が形成され、後述される重量部５１０が螺合されることになる。
【００９７】
前記重量部５１０は前記釣錘１の重さを調節するためのものであり、前記浮力部５２０より比重が大きい素材（例えば、鉛等の金属素材）から形成され、上下に長く棒形状に形成される。
【００９８】
前記重量部５１０は重さに応じて多様な長さを有するように形成され、前記重量部５１０の上端には締結端５１２が形成される。前記締結端５２２は前記重量部５１０を前記浮力部５２０に結合させるためのものであり、前記重量部５１０の上端外周面に形成され、前記結合具５２２と対応するねじ山から形成される。
【００９９】
一方、前記複数個の重量部５１０は、前記浮力部５２０に形成された複数の結合具５２２に其々固定され、前記重量部５１０の一端は締結端５１２が形成され、他端は前記結合具５２２が形成されて前記重量部５１０が長さ方向に連続して連結されることができる。
【０１００】
前記重量部５１０は複数個形成され、前記浮力部５２０に結合される時、前記釣錘１の全体的な均衡を考慮して装着することが好ましい。例えば、前記重量部５１０は三角錐の頂点と繋がる各辺と同一方向に其々延長することができ、この場合、前記釣錘１の重心が安定的であることはもちろん、前記釣錘１が水底につく時も安定的に安着することができる。
【０１０１】
即ち、前記複数個の重量部５１０が装着される時には、前記重量部５１０が下方に延長されるほど外側を向くように傾斜して結合されて、前記釣錘１が水底または岩に接触した時、安定した姿勢を維持できるように構成される。
【０１０２】
このように構成された前記釣錘１の重量を設定するためには、前記浮力部５２０に前記重量部５１０を結合することになる。この時、前記重量部５１０の個数は前記浮き３０の浮力と対象魚種を考慮して適切に調節することができる。
【０１０３】
前記重量部５１０を結合するために、前記重量部５１０の締結端５１２を前記浮力部５２０の結合具５２２内側に挿入した後、螺合させる。前記重量部５１０が一つだけ使われる場合には、前記浮力部５２０の下部中央部に形成された結合具５２２に前記重量部５１０を結合させ、複数の重量部５１０が結合される場合には、前記複数の重量部５１０が相互対称する位置に結合されて、前記釣錘１が全体的に均衡を保つように結合される。
【０１０４】
このような状態で前記釣り糸１０が前記固定手段５５０に挿入され、前記釣り糸１０の一側、即ち前記釣針２０と前記浮き３０の間の一側に前記釣錘１が連結されるようにする。
【０１０５】
以上のように準備された釣り糸１０を水中に入れると、前記釣錘１の重さによって前記釣針２０と釣錘１が沈み、前記釣錘１の浮力と平衡する地点または水底で前記釣錘１が停止することになる。
【０１０６】
この時、前記釣錘１は、相対的に比重が大きい重量部５１０が下部に位置するだけでなく、下方に長く形成され、前記固定手段５５０によって前記釣錘１の上端が釣り糸１０と連結されるので、前記釣錘１の重心は自然的に下部に位置することになり、前記釣錘１は直立状態となる。
【産業上の利用可能性】
【０１０７】
本発明による釣錘によれば、釣錘の重量部が下部に位置して直立状態を維持することができ、釣錘の引っかかることによる損失を防止するだけでなく、浮力調節部材、重量調節部材及び重量部材を利用して釣錘全体の浮力と重量を自在に調節することが可能になることで、使用上の便宜性が改善されるので産業上利用の可能性が非常に高い。
【符号の説明】
【０１０８】
１  釣錘
１０  釣り糸
２０  釣針
３０  浮き
４０  固定具
１００  本体
１１０  重量部
１１２  結合具
１２０  浮力部
１２２  締結端
１３０  浮力調節部材
１３２  調節部材結合具
１３４  調節部材締結端
１４０  重量調節部材
１４２  調節部材結合具
１４４  調節部材締結端
１５０  固定手段
１５２  連結リング
１５４  装着ピン
【図１】
2010530213.tif 000003
【図２】
2010530213.tif 000004
【図３】
2010530213.tif 000005
【図４】
2010530213.tif 000006
【図５】
2010530213.tif 000007
【図６】
2010530213.tif 000008
【図７】
2010530213.tif 000009
【国際調査報告】
2010530213.tif 000010
2010530213.tif 000011
2010530213.tif 000012
2010530213.tif 000013